(57)【要約】      （修正有）【課題】潰れた状態の多面体の玩具が収納部から飛び出さずに、立体形状多面体と収納部が一対となって意匠を構成する紙製玩具を提供する。【解決手段】収納部１は厚紙を二つ折りにして構成され、切欠き部２を持ち上げるとミシン目が裂けて後面板３が起立する。前面板５には多面体の玩具１０が係止できるよう粘着剤が施されている。この状態で多面体の玩具１０と一対の意匠になるよう後面板３の内側面６と前面板５には任意の図柄等を描かれている。後面板３と前面板５の折曲線８には弾性体からなるヒンジ９が設けられており、このヒンジ９は多面体の玩具１０が立体形状となる動作に制動作用を生じさせる。粘着剤は多面体の玩具１０が立体形状となった反動で収納部１から飛び出してしまうことを防止する。収納部１の切欠き部２に返しを設け、立体形状になった面体の玩具１０の頭部１１を強制的に押さえつけるよう構成する。【選択図】図６
2011235041.tif 000002
【特許請求の範囲】
【請求項１】
複雑な形状に構成され内部の弾性体を用いて平面状態から瞬時に立体的に立ち上がる多面体の玩具等を収納する収納部であって、前記収納部は、前記多面体の玩具等が収納される収納口の周辺に配設された切欠き部を備え、切欠き部からつながるミシン目を破って開封することにより、多面体の玩具等の折り畳み部分が、前記弾性部の弾性により立体形状に立ち上がり、収納部の一面が厚紙玩具の床面を構成し他の一面が壁面となって一対の装飾物となる収納部であり、立体形状となった厚紙玩具本体が飛び出してしまうことを防止することを特徴とする立体的に変化する玩具の収納部。
【請求項２】
前記収納部は、ミシン目を破って開封された際に、収納部の後面板と前面板が立体的に立ち上がろうとする多面体の玩具等に制動をかけるため、収納部の後面板と前面板の折曲線部分に弾性体からなるヒンジを設けたことを特徴とする請求項１の立体的に変化する玩具の収納部。
【請求項３】
前記収納部は、開封用切欠き部に返し部分とヒンジを設けることにより、立体的に立ち上がった多面体の玩具等の頭部を押さえて飛び出してしまうことを防止することを特徴とする請求項１の立体的に変化する玩具の収納部。
【発明の詳細な説明】
【技術分野】
【０００１】  本発明は、立体的に変化する玩具が収納部を空けた際に収納部から飛び出してしまうことを防止する収納部の構成に関する。
【背景技術】
【０００２】  従来から種々の紙製玩具が作成されており、最近は平面的なものから立体的に変化する玩具が作成されている。さらに、複雑な形状に構成された紙素材と弾性体を用いることにより、平面状態から瞬時に立体的に立ち上がる玩具も現れるようになった。
【先行技術文献】
【特許文献】
【０００３】
【特許文献１】特開２００７−２７５２８８
【発明の概要】
【発明が解決しようとする課題】
【０００４】  複雑な形状に構成された紙素材と弾性体を用いて平面状態から瞬時に立体的に立ち上がる多面体の玩具構成について特開２００７−２７５２８８号公報に開示されている。【０００５】  しかしながら、特開２００７−２７５２８８号公報のようなものでは、押すと潰れ、放すと元に戻る多面体を構成し、この多面体を平面形状にして収納し、取り出したときに立体形状となるように構成しているが、多面体を取り出した後の収納部の利用価値がなく、また、潰れた状態の多面体を取り出したとたん瞬時に立体形状となって飛び出してしまう。【０００６】  本発明は、潰れた状態の多面体の玩具が収納部から飛び出さず、立体形状多面体と収納部が一対となって意匠を構成する紙製玩具を提供するものである。
【課題を解決するための手段】
【０００７】  本発明に係る厚紙玩具において前記収納部は、前記本体部が収納される収納口の周辺に配設された切欠き部と、背景を表現した後面板３と、背景に対する手前側の形象を切り抜いて表現した前面板５とからなり、前面板５と後面板３とは一方の側縁同士を折曲線８を介して一連に形成し、後面板３を前面板５から開放する際に制動作用を生じさせるヒンジ９によって支えられる。【０００８】  前記前面板５と平面形状に可変されている多面体の玩具１０の底部は粘着剤により係止されており、立体形状になろうとする多面体の玩具１０が飛び跳ねようとすることを抑止する。
【発明の効果】
【０００９】  本発明によれば、複雑な立体形状を実現できるほか、立体形状となる際の多面体の玩具の飛び跳ねを抑止することができ、さらに、収納部が立体形状の多面体の玩具の前面板と後面板となるので、前面板５と後面板３の内側面６に任意の図柄等を描くことにより立体的な画像を楽しむことができる厚紙玩具を提供することができる。
【図面の簡単な説明】
【００１０】
【図１】多面体の玩具１０が収納される収納部
【図２】収納部１の切欠き部２を引き起こして後面板３が起立した状態
【図３】収納部１が開かれたときの後面板３と前面板５の関係図
【図４】収納部１に多面体の玩具１０が収納された状態で多面体の玩具１０の頭部１１が上部から押さえられている状態
【図５】収納部に収納された多面体の玩具１０が平面形状から立体形状に可変する状態
【図６】多面体の玩具１０が立体形状に可変し終えた状態の右方向からの斜視図
【図７】多面体の玩具１０が立体形状に可変し終えた状態の正面方向からの斜視図
【発明を実施するための形態】
【００１１】  以下、本発明を実施するための形態について図を参照して説明する。図１は収納部１の概観である。
収納部１は厚紙を二つ折りにして構成され、切欠き部２を持ち上げると後面板３が起立するようミシン目４を施してある。
【００１２】  図２と図３は切欠き部２を持ち上げてミシン目４が裂け、後面板３が起立した状態である。前面板５には多面体の玩具１０が係止できるよう粘着剤７が施されている。この状態で多面体の玩具１０と一対の意匠になるよう後面板３の内側面６と前面板５には任意の図柄等を描かれている。
【００１３】  後面板３と前面板５の折曲線８には弾性体からなるヒンジ９が設けられており、このヒンジ９は多面体の玩具１０が立体形状となる動作に制動作用を生じさせる。粘着剤７は多面体の玩具１０が立体形状となった反動で収納部１から飛び出してしまうことを防止する役目を持っている。
【００１４】  図４は収納部１に多面体の玩具１０を組み込んだ状態を示し、切欠き部２を持ち上げてミシン目４が裂け、後面板３が起立した状態である。
【００１５】  図５は収納部１に多面体の玩具１０を組み込んだ状態であり、ヒンジ９に牽引された後面板３により多面体の玩具１０が制動されながら起立する動作途中を示している。
【００１６】  図６と図７は多面体の玩具１０が完全に起立し、立体形状になった状態を示す。
【００１７】  多面体の玩具１０は、多面体の玩具１０内部にある弾性体で立体形状になるので、弾性体の張力のばらつきによっては前面板５に設けた粘着剤７と、後面板３と前面板５の折曲線８に設けたヒンジ９だけでは制動できない場合もありえるので、収納部１の切欠き部２に返し１２と弾性体からなるヒンジ１３を設けて、前面板５に設けた粘着剤７と折曲線８に設けたヒンジ９で制動しきれなかった動作を、ヒンジ１３で立体形状になった多面体の玩具１０の頭部１１を強制的に押さえつけるものである。
【産業上の利用可能性】
【００１８】  本発明は平面形状から立体形状に変化する玩具等を収納する収納部であって、使用時には平面形状から立体形状に変化する玩具等が飛び出してしまうことを防止することができ、立体的になった後の収納部がそのまま玩具等と一対になって装飾物として利用できるものであり、玩具のほかグリーティングカードや手紙、広告・宣伝用の看板等のアイテムとして利用することができるものである。
【符号の説明】
【００１９】  １・・・収納部
２・・・切欠き部
３・・・後面板
４・・・ミシン目
５・・・前面板
６・・・後面板の内側面
７・・・粘着剤
８・・・折曲線
９・・・ヒンジ
１０・・多面体の玩具
１１・・多面体の玩具の頭部
１２・・返し
１３・・ヒンジ
【図１】
2011235041.tif 000003
【図２】
2011235041.tif 000004
【図３】
2011235041.tif 000005
【図４】
2011235041.tif 000006
【図５】
2011235041.tif 000007
【図６】
2011235041.tif 000008
【図７】
2011235041.tif 000009
【手続補正書】
【提出日】平成22年7月29日(2010.7.29)
【手続補正１】
【補正対象書類名】特許請求の範囲
【補正対象項目名】全文
【補正方法】変更
【補正の内容】
【特許請求の範囲】
【請求項１】
複雑な形状に構成され内部の弾性体を用いて平面状態から瞬時に立体的に立ち上がる多面体の玩具等を収納する収納部であって、前記収納部は、前記多面体の玩具等が収納される収納口の周辺に配設された切欠き部を備え、切欠き部からつながるミシン目を破って開封することにより、多面体の玩具等の折り畳み部分が、弾性体の弾性により立体形状に立ち上がり、収納部の一面が厚紙玩具の床面を構成し他の一面が壁面となって一対の装飾物となる収納部において、前記収納部は、ミシン目を破って開封された際に、収納部の後面板と前面板が立体的に立ち上がろうとする多面体の玩具等に制動をかけるため、収納部の後面板と前面板の折曲線部分に弾性体からなるヒンジを設けたことを特徴とする立体的に変化する玩具の収納部。
【請求項２】
前記収納部は、開封用切欠き部に折り返し部分とヒンジを設けることにより、立体的に立ち上がった多面体の玩具等の頭部を押さえて飛び出してしまうことを防止することを特徴とする請求項１の立体的に変化する玩具の収納部。
【手続補正２】
【補正対象書類名】明細書
【補正対象項目名】全文
【補正方法】変更
【補正の内容】
【発明の詳細な説明】
【技術分野】
【０００１】  本発明は、立体的に変化する玩具が収納部を空けた際に収納部から飛び出してしまうことを防止する収納部の構成に関する。
【背景技術】
【０００２】  従来から種々の紙製玩具が作成されており、最近は平面的なものから立体的に変化する玩具が作成されている。さらに、複雑な形状に構成された紙素材と弾性体を用いることにより、平面状態から瞬時に立体的に立ち上がる玩具も現れるようになった。
【先行技術文献】
【特許文献】
【０００３】
【特許文献１】特開２００７−２７５２８８
【発明の概要】
【発明が解決しようとする課題】
【０００４】  複雑な形状に構成された紙素材と弾性体を用いて平面状態から瞬時に立体的に立ち上がる多面体の玩具構成について特開２００７−２７５２８８号公報に開示されている。【０００５】  しかしながら、特開２００７−２７５２８８号公報のようなものでは、押すと潰れ、放すと元に戻る多面体を構成し、この多面体を平面形状にして収納し、取り出したときに立体形状となるように構成しているが、多面体を取り出した後の収納部の利用価値がなく、また、潰れた状態の多面体を取り出したとたん瞬時に立体形状となって飛び出してしまう。【０００６】  本発明は、潰れた状態の多面体の玩具が収納部から飛び出さず、立体形状多面体と収納部が一対となって意匠を構成する紙製玩具を提供するものである。
【課題を解決するための手段】
【０００７】  本発明に係る厚紙玩具において前記収納部は、前記本体部が収納される収納口の周辺に配設された切欠き部と、背景を表現した後面板３と、背景に対する手前側の形象を切り抜いて表現した前面板５とからなり、前面板５と後面板３とは一方の側縁同士を折曲線８を介して一連に形成し、後面板３を前面板５から開放する際に制動作用を生じさせるヒンジ９によって支えられる。【０００８】さらに後面板３を前面板５から開放すると、切欠き部から分離した折り返し１２が後面板３の端部に残る。この折り返し１２と後面板３の側縁同士の折曲線にヒンジ１３を介して一連に形成することによって、立体的に立ち上がった多面体の玩具等の頭部を押さえて飛び出してしまうことを防止する。
【発明の効果】
【０００９】  本発明によれば、複雑な立体形状を実現できるほか、立体形状となる際の多面体の玩具の飛び跳ねを抑止することができ、さらに、収納部が立体形状の多面体の玩具の前面板と後面板となるので、前面板５と後面板３の内側面６に任意の図柄等を描くことにより立体的な画像を楽しむことができる厚紙玩具を提供することができる。
【図面の簡単な説明】
【００１０】
【図１】多面体の玩具１０が収納される収納部
【図２】収納部１の切欠き部２を引き起こして後面板３が起立した状態
【図３】収納部１が開かれたときの後面板３と前面板５の関係図
【図４】収納部１に多面体の玩具１０が収納された状態で多面体の玩具１０の頭部１１が上部から押さえられている状態
【図５】収納部に収納された多面体の玩具１０が平面形状から立体形状に可変する状態
【図６】多面体の玩具１０が立体形状に可変し終えた状態の右方向からの斜視図
【図７】多面体の玩具１０が立体形状に可変し終えた状態の正面方向からの斜視図
【発明を実施するための形態】
【００１１】  以下、本発明を実施するための形態について図を参照して説明する。図１は収納部１の概観である。
収納部１は厚紙を二つ折りにして構成され、切欠き部２を持ち上げると後面板３が起立するようミシン目４を施してある。
【００１２】  図２と図３は切欠き部２を持ち上げてミシン目４が裂け、後面板３が起立した状態である。前面板５には多面体の玩具１０が係止できるよう粘着剤７が施されている。この状態で多面体の玩具１０と一対の意匠になるよう後面板３の内側面６と前面板５には任意の図柄等を描かれている。
【００１３】  後面板３と前面板５の折曲線８には弾性体からなるヒンジ９が設けられており、このヒンジ９は多面体の玩具１０が立体形状となる動作に制動作用を生じさせる。粘着剤７は多面体の玩具１０が立体形状となった反動で収納部１から飛び出してしまうことを防止する役目を持っている。
【００１４】  図４は収納部１に多面体の玩具１０を組み込んだ状態を示し、切欠き部２を持ち上げてミシン目４が裂け、後面板３が起立した状態である。
【００１５】  図５は収納部１に多面体の玩具１０を組み込んだ状態であり、ヒンジ９に牽引された後面板３により多面体の玩具１０が制動されながら起立する動作途中を示している。
【００１６】  図６と図７は多面体の玩具１０が完全に起立し、立体形状になった状態を示す。
【００１７】  多面体の玩具１０は、多面体の玩具１０内部にある弾性体で立体形状になるので、弾性体の張力のばらつきによっては前面板５に設けた粘着剤７と、後面板３と前面板５の折曲線８に設けたヒンジ９だけでは制動できない場合もありえるので、収納部１の切欠き部２に折り返し１２と弾性体からなるヒンジ１３を設けて、前面板５に設けた粘着剤７と折曲線８に設けたヒンジ９で制動しきれなかった動作を、ヒンジ１３で立体形状になった多面体の玩具１０の頭部１１を強制的に押さえつけるものである。
【産業上の利用可能性】
【００１８】  本発明は平面形状から立体形状に変化する玩具等を収納する収納部であって、使用時には平面形状から立体形状に変化する玩具等が飛び出してしまうことを防止することができ、立体的になった後の収納部がそのまま玩具等と一対になって装飾物として利用できるものであり、玩具のほかグリーティングカードや手紙、広告・宣伝用の看板等のアイテムとして利用することができるものである。
【符号の説明】
【００１９】１・・・収納部
２・・・切欠き部
３・・・後面板
４・・・ミシン目
５・・・前面板
６・・・後面板の内側面
７・・・粘着剤
８・・・折曲線
９・・・ヒンジ
１０・・多面体の玩具
１１・・多面体の玩具の頭部
１２・・折り返し
１３・・ヒンジ
【手続補正３】
【補正対象書類名】図面
【補正対象項目名】全図
【補正方法】変更
【補正の内容】
【図１】
2011235041.tif 000010
【図２】
2011235041.tif 000011
【図３】
2011235041.tif 000012
【図４】
2011235041.tif 000013
【図５】
2011235041.tif 000014
【図６】
2011235041.tif 000015
【図７】
2011235041.tif 000016
【手続補正書】
【提出日】平成22年10月6日(2010.10.6)
【手続補正１】
【補正対象書類名】特許請求の範囲
【補正対象項目名】全文
【補正方法】変更
【補正の内容】
【特許請求の範囲】
【請求項１】
複雑な形状に構成され内部の弾性体を用いて平面状態から瞬時に立体的に立ち上がる多面体の玩具を収納する収納部であって、前記収納部は、前記多面体の玩具が収納される収納口の周辺に配設された切欠き部を備え、切欠き部からつながるミシン目を破って開封することにより、多面体の玩具の折り畳み部分が、弾性体の弾性により立体形状に立ち上がり、収納部の一面が多面体の玩具の床面を構成し他の一面が壁面となって一対の装飾物となる収納部において、前記収納部は、ミシン目を破って開封された際に、収納部の後面板と前面板が立体的に立ち上がろうとする多面体の玩具に制動をかけるため、収納部の後面板と前面板の折曲線部分に弾性体からなるヒンジを設けたことを特徴とする立体的に変化する玩具の収納部。
【請求項２】
前記収納部は、開封用切欠き部に折り返し部分とヒンジを設けることにより、立体的に立ち上がった多面体の玩具の頭部を押さえて飛び出してしまうことを防止することを特徴とする請求項１の立体的に変化する玩具の収納部。
【手続補正２】
【補正対象書類名】明細書
【補正対象項目名】０００７
【補正方法】変更
【補正の内容】
【０００７】  本発明に係る多面体の玩具において前記収納部は、前記本体部が収納される収納口の周辺に配設された切欠き部と、背景を表現した後面板３と、背景に対する手前側の形象を切り抜いて表現した前面板５とからなり、前面板５と後面板３とは一方の側縁同士を折曲線８を介して一連に形成し、後面板３を前面板５から開放する際に制動作用を生じさせるヒンジ９によって支えられる。
【手続補正３】
【補正対象書類名】明細書
【補正対象項目名】０００８
【補正方法】変更
【補正の内容】
【０００８】  さらに後面板３を前面板５から開放すると、切欠き部から分離した折り返し１２が後面板３の端部に残る。この折り返し１２と後面板３の側縁同士の折曲線にヒンジ１３を介して一連に形成することによって、立体的に立ち上がった多面体の玩具の頭部を押さえて飛び出してしまうことを防止する。
【手続補正４】
【補正対象書類名】明細書
【補正対象項目名】０００９
【補正方法】変更
【補正の内容】
【０００９】  本発明によれば、複雑な立体形状を実現できるほか、立体形状となる際の多面体の玩具の飛び跳ねを抑止することができ、さらに、収納部が立体形状の多面体の玩具の前面板と後面板となるので、前面板５と後面板３の内側面６に任意の図柄等を描くことにより立体的な画像を楽しむことができる多面体の玩具を提供することができる。
【手続補正５】
【補正対象書類名】明細書
【補正対象項目名】００１２
【補正方法】変更
【補正の内容】
【００１２】  図２と図３は切欠き部２を持ち上げてミシン目４が裂け、後面板３が起立した状態である。前面板５には多面体の玩具１０が係止できるよう粘着剤７が施されており、多面体の玩具１０を貼着した状態で図６のように前面板５は床面を構成する。この状態で多面体の玩具１０と一対の意匠になるよう後面板３の内側面６と前面板５には任意の図柄等を描かれている。
【手続補正６】
【補正対象書類名】明細書
【補正対象項目名】００１８
【補正方法】変更
【補正の内容】
【００１８】  本発明は平面形状から立体形状に変化する多面体の玩具を収納する収納部であって、使用時には平面形状から立体形状に変化する多面体の玩具が飛び出してしまうことを防止することができ、立体的になった後の収納部がそのまま多面体の玩具と一対になって装飾物として利用できるものであり、玩具のほかグリーティングカードや手紙、広告・宣伝用の看板等のアイテムとして利用することができるものである。